(57)【要約】      （修正有）【課題】一つの成膜装置で蒸着重合法及びスパッタリング法を行うことができる複合型の成膜装置を提供する。【解決手段】成膜対象を設置する真空成膜室と、前記真空成膜室中の前記成膜対象にスパッタリング法により膜を形成するスパッタリング手段３０と、前記真空成膜室中の前記成膜対象に蒸着重合法により膜を形成する蒸着重合手段２０ａ、２０ｂとを備え、前記スパッタリング手段３０は、スパッタリングターゲット３１が設けられたターゲット室３２からなり、当該ターゲット室３２は、前記真空成膜室に可動遮蔽手段を介して接続され、前記蒸着重合手段２０ａ、２０ｂは、原料モノマーが封入されている蒸発源容器２１ａ、２１ｂと、蒸発源容器２１ａ、２１ｂに設けられた加熱手段２２ａ、２２ｂとからなる。【選択図】図１
2010095756.tif 000002
【特許請求の範囲】
【請求項１】
成膜対象を設置する真空成膜室と、前記真空成膜室中の前記成膜対象にスパッタリング法により膜を形成するスパッタリング手段と、前記真空成膜室中の前記成膜対象に蒸着重合法により膜を形成する蒸着重合手段とを備え、
前記スパッタリング手段は、スパッタリングターゲットが設けられたターゲット室からなり、当該ターゲット室は、前記真空成膜室に可動遮蔽手段を介して接続され、
前記蒸着重合手段は、原料モノマーが封入されている蒸発源容器と、この蒸発源容器に設けられた加熱手段とからなり、当該加熱手段により前記原料モノマーを加熱し蒸発させて得られた蒸発ガスを前記真空成膜室内へ導入して前記成膜対象の表面で蒸着させ重合させて膜を形成するように構成されていることを特徴とする成膜装置。
【請求項２】
前記可動遮蔽手段が、ゲートバルブであることを特徴とする請求項１記載の成膜装置。
【請求項３】
前記真空成膜室と前記蒸発源容器とを接続する原料管にコンダクタンス可変バルブ及び圧力計を設けると共に、当該コンダクタンス可変バルブ及び圧力計には、前記圧力計で測定された成膜中の圧力値が前記コンダクタンス可変バルブの設定された圧力値と等しくなるように前記コンダクタンス可変バルブの開度を制御する制御部を設けることを特徴とする請求項１又は２に記載の成膜装置。
【請求項４】
前記制御部は前記加熱手段にも接続されており、この制御部が、前記コンダクタンス可変バルブの開度が一定の値となった場合には、前記加熱手段により原料モノマーの加熱温度を一定の値上昇させるように構成されていることを特徴とする請求項１〜３のいずれか一項に記載の成膜装置。
【請求項５】
前記真空成膜室は、複数の成膜対象をそれぞれ保持する保持手段を備え、
前記保持手段は、モーターに接続された第１の回転軸と、前記第１の回転軸が中央部に固定された固定部と、前記固定部に回転自在に取り付けられ、各成膜対象を保持する第２の回転軸と、前記第１の回転軸に固定された第１のギアと、前記第１のギアに嵌合するように前記第２の回転軸に固定され、前記第１のギアとはギア比の異なる第２のギアとを備え、
前記第１の回転軸の回転に伴って第１のギアが回転すると共に、この第１のギアの回転に伴って第２のギアが回転して第２の回転軸が回転して、各成膜対象が、第２の回転軸を軸中心として自転すると共に、第１の回転軸を軸中心として公転するように構成されていることを特徴とする請求項１〜４のいずれか一項に記載の成膜装置。
【発明の詳細な説明】
【技術分野】
【０００１】
本発明は、成膜装置に関する。
【背景技術】
【０００２】
従来、電子機器（例えば携帯電話の外装）や家電製品（例えば冷蔵庫の取っ手）等に用いられる樹脂製基材の表面には、下地層及び金属装飾膜がこの順で積層されている。この場合、下地層としては有機系薄膜が形成されている。有機系薄膜の形成方法としては、湿式法、蒸着重合法等がある。これらの方法のうち、湿式法は原料モノマーを適当な溶媒に溶かして重合させ、これを基板上に塗布する方法である。蒸着重合法は、原料モノマーを蒸発させ、これらを真空処理室内に導入し基体表面で重合させて高分子膜を形成する方法であり、溶媒を用いずに成膜することができ、かつ、膜の付きまわりがよいという利点を有する。また、金属装飾膜の形成方法としては、スパッタリング法が挙げられる。これらの形成方法を実施するための装置としては、例えば、特許文献１に記載されているような蒸着重合装置や、特許文献２に記載されているようなスパッタリング装置が知られている。
【０００３】
【特許文献１】特開平５―６５６２７号公報（請求項１、図１等）
【特許文献２】特開２００７―３０８７４６号公報（請求項１、図１等）
【発明の開示】
【発明が解決しようとする課題】
【０００４】
上記のような下地層及び金属装飾膜を形成する場合に、利便性向上のため一つの成膜装置で蒸着重合法及びスパッタリング法を実施して各膜を形成できることが望まれている。しかし、仮に一つの装置で各成膜方法を実施して膜を形成しようとすると、蒸着重合法による蒸発ガスがスパッタリングターゲット表面にも付着してしまい、金属装飾膜に不純物が含まれてしまうという問題がある。
【０００５】
そこで、本発明の目的は上記従来技術の問題点を解決することにあり、一つの成膜装置で蒸着重合法及びスパッタリング法を行うことができる複合型の成膜装置を提供することにある。
【課題を解決するための手段】
【０００６】
本発明の成膜装置は、成膜対象を設置する真空成膜室と、前記真空成膜室中の前記成膜対象にスパッタリング法により膜を形成するスパッタリング手段と、前記真空成膜室中の前記成膜対象に蒸着重合法により膜を形成する蒸着重合手段とを備え、前記スパッタリング手段は、スパッタリングターゲットが設けられたターゲット室からなり、当該ターゲット室は、前記真空成膜室に可動遮蔽手段を介して接続され、前記蒸着重合手段は、原料モノマーが封入されている蒸発源容器と、この蒸発源容器に設けられた加熱手段とからなり、当該加熱手段により前記原料モノマーを加熱し蒸発させて得られた蒸発ガスを前記真空成膜室内へ導入して前記成膜対象の表面で蒸着させ重合させて膜を形成するように構成されていることを特徴とする。
【０００７】
本成膜装置によれば、ターゲット室は、前記真空成膜室と可動遮蔽手段を介して接続されているので、蒸着重合手段により蒸着重合法を行っている間には、可動遮蔽手段により真空成膜室内雰囲気からターゲット室を遮断して、ターゲット室内のスパッタリングターゲットに蒸発ガスが付着することを防止することができる。
【０００８】
本発明の好適な実施としては、前記可動遮蔽手段が、ゲートバルブであることが挙げられる。
【０００９】
また、前記真空成膜室と前記蒸発源容器とを接続する原料管にコンダクタンス可変バルブ及び圧力計を設けると共に、当該コンダクタンス可変バルブ及び圧力計には、前記圧力計で測定された成膜中の圧力値が前記コンダクタンス可変バルブの設定された圧力値と等しくなるように前記コンダクタンス可変バルブの開度を制御する制御部を設けることが好ましい。コンダクタンス可変バルブを設けることで、蒸着重合法とスパッタリング法とを切り換える場合に、簡易に、かつすぐに切り換えることができ、一つの成膜装置で効率よく両方法を実施することができる。さらにまたコンダクタンス可変バルブ、圧力計及び制御部を用いることで、真空成膜室に供給される蒸発ガスの供給量を調整することができる。
【００１０】
前記制御部は前記加熱手段にも接続されており、この制御部が、前記コンダクタンス可変バルブの開度が一定の値となった場合には、前記加熱手段により原料モノマーの加熱温度を一定の値上昇させるように構成されていることが好ましい。
【００１１】
前記真空成膜室は、複数の成膜対象をそれぞれ保持する保持手段を備え、前記保持手段は、モーターに接続された第１の回転軸と、前記第１の回転軸が中央部に固定された固定部と、前記固定部に回転自在に取り付けられ、各成膜対象を保持する第２の回転軸と、前記第１の回転軸に固定された第１のギアと、前記第１のギアに嵌合するように前記第２の回転軸に固定され、前記第１のギアとはギア比の異なる第２のギアとを備え、前記第１の回転軸の回転に伴って第１のギアが回転すると共に、この第１のギアの回転に伴って第２のギアが回転して第２の回転軸が回転して、各成膜対象が、第２の回転軸を軸中心として自転すると共に、第１の回転軸を軸中心として公転するように構成されていることが好ましい。このような保持手段を備えていることで、蒸着重合法及びスパッタリング法を効率よく実施して、成膜対象の表面全体に成膜することができる。
【発明の効果】
【００１２】
本発明の成膜装置によれば、一つの成膜装置で蒸着重合法及びスパッタリング法の両方を実施することができる。
【発明を実施するための最良の形態】
【００１３】
本実施形態の成膜装置について、図１及び図２を用いて説明する。図１は、成膜装置の断面模式図であり、図２は図１の成膜装置のＡ−Ａ’線での要部断面模式図である。
【００１４】
成膜装置１は、成膜室１０と、成膜室１０に接続されている蒸着重合手段２０ａ、２０ｂ及びスパッタリング手段３０とを備える。以下、それぞれ詳細に説明する。
【００１５】
成膜室１０には、さらに真空排気手段１１が設けられており、成膜室１０内を所望の真空度（〜０．１Ｐａ）にすることができるように構成されている。なお、成膜装置１では蒸着重合手段２０ａ、２０ｂによる蒸着重合法及びスパッタリング手段３０によるスパッタリング法のどちらも実施できるよう構成されていることから、真空排気手段１１はそれぞれの方法を実施することができるように異なる真空度とすることができるように構成されている。
【００１６】
また、成膜室１０には、複数の基体Ｓを保持するための保持手段４０が設けられている。保持手段４０は、板状の保持部４１と保持部４１の中心に保持部４１に対して垂直に固定されている第１回転軸４２とからなる。第１回転軸４２は、成膜室１０上部に設けられたモーター部４３に接続され、モーター部４３の駆動により回転する。この第１回転軸４２の回転に伴って保持部４１も第１回転軸４２を軸中心として回転する。保持部４１には、複数の第２回転軸４４（例えば図中では例として８つ）が同一円周上に設けられており、各第２回転軸４４には、各基体Ｓが吊下されている。ここで、第１回転軸４２には、第１のギア４５が固定されており、第２回転軸４４には、第１のギア４５と嵌合する第２のギア４６が設けられている。第２のギア４６は、第１のギア４５とはギア比が異なるものであり、モーター部４３の駆動に併せて第１回転軸４２が回転するのに伴って第１のギア４５が回転すると、第２のギア４６はこの第１のギア４５の回転に伴って回転するように構成されている。この第２回転軸４４の回転に併せて基体Ｓが回転する。即ち、各基体Ｓは第２回転軸４４を中心に自転しながら、第１回転軸４２を中心として公転するように構成されている。このように保持手段４０は、簡易な構成で一つのモーターにより各基体Ｓを自転及び公転させることができる。また、この場合に第１のギア４５及び第２のギア４６にパーティクルが付着しないように第１のギア４５及び第２のギア４６の周囲には防着板４７が設けてある。
【００１７】
本実施形態では、このような保持手段４０を用いることで、複数の基体Ｓの全面に対して蒸着重合手段２０ａ、２０ｂにより成膜を簡易に行うことができる。また、スパッタリング手段３０によりスパッタリング法を実施する場合には、各基体Ｓを自転及び公転させることができるので複数の基体Ｓの全面に成膜を簡易に行うことができる。
【００１８】
蒸着重合手段２０ａ、２０ｂは、成膜室１０に設けられた混合室１２に、混合室１２内に設けられたシャワープレート１３に対向するように設けられている。蒸着重合手段２０ａ、２０ｂは、図１中では例として二つ設けられているが、膜の種類によっては一つ設けてあっても、また３以上設けてあってもよい。蒸着重合手段２０ａ、２０ｂは、互いに異なる原料モノマーＭａ、Ｍｂが封入されている蒸発源容器２１ａ、２１ｂを備えている。また、蒸発源容器２１ａ、２１ｂには加熱手段２２ａ、２２ｂが設けてあり、この加熱手段２２ａ、２２ｂにより蒸発源容器２１ａ、２１ｂ中の原料モノマーＭａ、Ｍｂを所望の温度で加熱することができるように構成されている。
【００１９】
蒸発源容器２１ａ、２１ｂには、混合室１２に接続されている配管２３ａ、２３ｂが設けられており、この配管２３ａ、２３ｂにはそれぞれ供給量制御手段２４ａ、２４ｂが設けられている。供給量制御手段２４ａ、２４ｂを設けたのは、成膜時間の経過と共に蒸発源容器２１ａ、２１ｂ内の内部圧力が下がって成膜レートが低下する場合があることからであり、供給量制御手段２４ａ、２４ｂを設けることで、供給量を一定に保つことができるように構成している。ここで、供給量制御手段２４ａ、２４ｂは、コンダクタンス可変バルブ２５ａ、２５ｂと、圧力計２６ａ、２６ｂと、コンダクタンス可変バルブ２５ａ、２５ｂ及び圧力計２６ａ、２６ｂに接続された制御部２７ａ、２７ｂとからなる。コンダクタンス可変バルブ２５ａ、２５ｂは配管２３ａ、２３ｂに設けられており、それぞれ弁の開閉を行うことで開度を調整し、配管２３ａ、２３ｂのコンダクタンスを変化させることができるように構成されている。供給量制御手段２４ａ、２４ｂとして、加熱に弱くまたセンサー部分に原料が析出しやすいマスフローコントローラー等を用いるのではなく、耐熱性があり、原料が析出しにくいコンダクタンス可変バルブ２５ａ、２５ｂを用いることで、蒸着重合法をより効率的に行うことができる。
【００２０】
圧力計２６ａ、２６ｂは配管２３ａ、２３ｂに設けられており、配管２３ａ、２３ｂの圧力を測定することができる。
【００２１】
コンダクタンス可変バルブ２５ａ、２５ｂの開度の調整は、制御部２７ａ、２７ｂによって行われる。即ち、制御部２７ａ、２７ｂは、圧力計で測定された成膜中の配管２３ａ、２３ｂの圧力値が、コンダクタンス可変バルブ２５ａ、２５ｂの設定された圧力値（以下、設定圧力値という）と等しくなるように、コンダクタンス可変バルブ２５ａ、２５ｂの開度を制御するように構成されている。また、制御部２７ａ、２７ｂは、加熱手段２２ａ、２２ｂにも接続され、コンダクタンス可変バルブ２５ａ、２５ｂの開度が所定値（例えば８０％）を超えた場合には、加熱手段に信号を送出して、加熱手段２２ａ、２２ｂの加熱温度を一定値（例えば５℃）上げて蒸発源容器内の内部圧力を上げるように構成されている。これにより、コンダクタンス可変バルブの開度が下がるので、コンダクタンス可変バルブの開度が１００％に到達して蒸発ガスの供給量が調整不能となることを防ぐことができる。
【００２２】
本実施形態においては、供給量制御手段２４ａ、２４ｂは、各配管２３ａ、２３ｂに設けたが、加熱時間経過と共に変質して内部蒸気圧を低下させやすい原料モノマーが封入されている蒸発源容器に接続された配管に設けられていればよい。
【００２３】
本実施形態において、圧力計２６ａ、２６ｂは、各配管２３ａ、２３ｂのコンダクタンス可変バルブ２５ａ、２５ｂ及び混合室１２の間に設けたが、圧力計に付着するパーティクルが少なく、圧力計２６ａ、２６ｂの損失が少ないので、この位置に設けることが好ましい。圧力計２６ａ、２６ｂは、例えば、配管２３ａ、２３ｂのコンダクタンス可変バルブ２５ａ、２５ｂの両側に設けてもよい。なお、各蒸着重合手段２０ａ、２０ｂ全体は図示しない加熱手段によって保温されており、配管２３ａ、２３ｂ等の内側に蒸発ガスが付着しにくくなるように構成されている。
【００２４】
スパッタリング手段３０は、スパッタリングターゲット３１が設置されたターゲット室３２を備え、ターゲット室３２はゲートバルブ３３を介して成膜室１０に接続されている。ターゲット室３２内には、スパッタリングガスを導入するためのガス導入手段３４が設けられている。スパッタリングターゲット３１は、ターゲット台３５に設置され、ターゲット台３５には図示しないスパッタリング電源が設けられており、スパッタリングターゲット３１に電圧を印加できるように構成されている。なお、スパッタリングターゲットとしては、通常用いられる金属ターゲット（例えばアルミニウムターゲット）等を用いることができる。
【００２５】
本実施形態では、スパッタリングターゲット３１に蒸発ガスが付着することを防止するために、ゲートバルブ３３を設けて、蒸発ガスの遮蔽を行うことができるように構成されている。なお、ゲートバルブ３３の代わりにシャッターを設けてもよい。
【００２６】
この成膜装置１を用いて基体Ｓ上に下地層及び金属装飾膜をこの順で形成する場合について、以下詳細に説明する。
【００２７】
初めに、基体Ｓをそれぞれ保持手段４０の第２回転軸４４に吊下して、設置する。そして、ゲートバルブ３３を閉じた後に、成膜室１０内及び蒸発源容器２１ａ、２１ｂ内をそれぞれ所望の真空状態とする。また、モーター部４３を駆動することにより、各基体Ｓの第２回転軸４４を中心とした自転及び第１回転軸４２を中心とした公転が開始される。
【００２８】
次いで、加熱手段２２ａ、２２ｂにより蒸発源容器２１ａ、２１ｂを加熱して蒸発源容器２１ａ、２１ｂ内をそれぞれ所望の内部圧力（飽和蒸気圧状態）とする。この蒸発源容器２１ａ、２１ｂ内で形成された蒸発ガスは、コンダクタンス可変バルブ２５ａ、２５ｂが開くと成膜室１０と蒸発源容器２１ａ、２１ｂとの圧力差により配管２３ａ、２３ｂを介して蒸発ガスは混合室１２に流入する。そして、蒸発ガスは混合室１２に設けられたシャワープレート１３を通過して均一化された後に、成膜室１０内に流入して自転及び公転を行っている基体Ｓ上で蒸着重合し、全ての基体Ｓの全面に原料モノマーＭａとＭｂとの所望の（例えば化学量論比の）高分子膜が形成される。この場合に、各基体Ｓは第２回転軸４４の回転により第２回転軸４４を軸中心として自転しながら、第１回転軸４２を軸中心として公転していることから、各基体Ｓには厚さも物性を均一な下地膜を形成可能である。
【００２９】
本実施形態においては、成膜中、このコンダクタンス可変バルブ２５ａ、２５ｂの開度を制御部２７ａ、２７ｂにより調整することで、成膜室１０内に供給される蒸発ガスの量を一定となるように制御することが可能である。即ち、本実施形態においては、成膜時間の経過により蒸発源容器２１ａ、２１ｂ内の内部圧力が低下していく場合でも、コンダクタンス可変バルブ２５ａ、２５ｂの設定圧力値と圧力計２６ａ、２６ｂの圧力値が等しくなるようにコンダクタンス可変バルブ２５ａ、２５ｂの開度を制御部２７ａ、２７ｂにより高くすることで、成膜室１０内に供給される蒸発ガスの量を一定となるように制御することが可能である。
【００３０】
また、コンダクタンス可変バルブ２５ａ、２５ｂの開度が１００％になってしまうとそれ以上供給量を制御することができなくなる。従って、コンダクタンス可変バルブ２５ａ、２５ｂのバルブ開度が所定値（例えば、８０％）に達した場合には、加熱温度を一定値（例えば５℃）上げて蒸発源容器２１ａ、２１ｂの内部圧力を再度高くし、内部圧力の上昇に伴ってコンダクタンス可変バルブ２５ａ、２５ｂの開度を再度下げることができる。
【００３１】
所定の下地膜成膜時間終了後、コンダクタンス可変バルブ２５ａ、２５ｂを閉じ、その状態で排気を行い、成膜室１０内部の残留モノマーを減少させる。次いで、ゲートバルブ３３を開放し、この状態で成膜室１０内の真空度を所望の真空度とする。所望の真空度となった状態で、ガス導入手段３４により、スパッタリングガス（例えばＡｒ等）を導入し、スパッタリングを開始して、スパッタリングターゲット３１に対向する位置に設置されている基体Ｓに成膜が開始される。この場合に、各基体Ｓは第２回転軸４４の回転により第２回転軸４４を軸中心として自転しながら、第１回転軸４２を軸中心として公転していることから、各基体Ｓの全面がスパッタリングターゲットに対向する位置に移動できるので、下地膜が均一に形成されている各基体Ｓの全面に金属装飾膜が形成される。
【００３２】
そして、所望の成膜時間終了後、スパッタリング電源を停止すると共に、スパッタリングガスの導入を停止して、排気を行った後にゲートバルブ３３を閉じて成膜を終了する。
【００３３】
このように成膜装置１では、ゲートバルブ３３が設けられていることで、下地層の成膜中、即ち蒸着重合法を用いて成膜している場合にはゲートバルブ３３を閉じて蒸発ガスがスパッタリングターゲット３１の表面に付着することがない。さらに、コンダクタンス可変バルブ２５ａ、２５ｂを用いていることで、成膜室１０への蒸発ガスの供給量を一定に保つことができると共に、蒸着重合法による成膜終了時にすぐにスパッタリング法による成膜へと切り換えることができる。
【００３４】
このような成膜装置１を用いた成膜方法により形成できる膜としては、スパッタリング法によれば、金属膜（アルミニウム膜、ニッケル膜、タンタル膜、クロム膜）、金属酸化物膜等がある。また、蒸着重合法によれば、ポリウレタン膜、ポリイミド膜、ポリ尿素膜等の高分子膜を形成することができる。例えば、ポリ尿素膜であれば、原料モノマーとしてジアミンモノマーとジイソシアナートとをそれぞれ用いることで形成できる。本成膜装置１によれば、これらの各膜をそれぞれ所望の成膜順序で成膜することができる。例えば、ポリ尿素膜／アルミニウム膜／ポリ尿素膜という三層構造の膜を形成することもできる。
【実施例１】
【００３５】
成膜装置１を用いて基体Ｓ上に下地層及び金属装飾膜をこの順で形成し、金属装飾膜の抵抗値を調べた。
【００３６】
まず、ゲートバルブ３３を閉めた状態で圧力が一定となるように制御しながら下地膜としてのポリ尿素膜を厚さ１０μｍで形成した。下地膜の成膜条件は、成膜室圧力：１Ｐａ、原料モノマーＭａ：１，１２―ジアミノドデカン、原料モノマーＭａの加熱温度：７９℃、原料モノマーＭｂ：１，３―ビス（イソシアナートメチル）シクロヘキサン、原料モノマーＭｂの加熱温度：６５℃、成膜時間：５分、であった。下地膜は、各基体Ｓの全面に均一に形成された。次いで、排気を行った後にゲートバルブ３３を開けて、基体Ｓを自転させながら公転させた状態で、金属装飾膜としてのアルミニウム膜を厚さ０．１μｍで形成した。金属装飾膜の成膜条件は、成膜室圧力；０．１Ｐａ、スパッタリングガス：Ａｒ（流量：２００ｓｃｃｍ）、スパッタ電圧：４３０Ｖ、成膜時間：１分であった。
【００３７】
得られたアルミニウム膜の抵抗値を接触式抵抗計により測定したところ、９．０μΩ・ｃｍであった。これにより、成膜装置１を用いて成膜した場合には、金属装飾膜の抵抗は低く、所望の金属装飾膜が形成されていることが分かった。
（比較例１）
実施例１とは、ゲートバルブ３３が設けられていない成膜装置を用いた点以外は全て同一の装置を用いて同一の手順で下地層及び金属装飾膜をこの順で形成し、金属装飾膜の抵抗値を調べた。
【００３８】
この場合、得られたアルミニウム膜の抵抗値を接触式抵抗計により測定したところ、５３２．３μΩ・ｃｍであった。これにより、ゲートバルブ３３を設けない場合、金属装飾膜は抵抗値が高く、所望の金属装飾膜を形成できないことが分かった。これは、スパッタリングターゲット３１に蒸発ガスが付着してターゲット表面が汚染されてしまって金属装飾膜が不純物を含んでいるためと考えられる。
【００３９】
実施例１及び比較例１から、成膜装置１を用いて成膜した場合には、金属装飾膜の抵抗は低く、不純物が含有されておらず、所望の金属装飾膜が形成されていることが分かった。
【産業上の利用可能性】
【００４０】
本発明の成膜装置によれば、スパッタリング法及び蒸着重合法を一つの成膜装置で実施して、簡易に二層膜を形成できる。従って、半導体装置製造分野において利用可能である。
【図面の簡単な説明】
【００４１】
【図１】本実施形態の成膜装置の断面模式図である。
【図２】本実施形態の成膜装置の要部断面模式図である。
【符号の説明】
【００４２】
１０   成膜室
１１   真空排気手段
１２   混合室
１３   シャワープレート
２０ａ、２０ｂ       蒸発重合手段
２１ａ、２１ｂ       蒸発源容器
２２ａ、２２ｂ       加熱手段
２４ａ、２４ｂ       供給量制御手段
３０   スパッタリング手段
４０   保持手段
【図１】
2010095756.tif 000003
【図２】
2010095756.tif 000004